(57)【要約】  発光装置は、面状発光部を封止する封止領域を形成する封止部材（２０）と、面状発光部と電気的に接続される導電部（６１）を有し、封止領域から外部に延出する配線部材（５１）とを備える。封止部材（２０）は、その周縁において開口し、配線部材（５１）を外部に引き出す引き出し口を有する。配線部材（５１）は、導電部（６１）が封止領域に配置される内部配線部位（７１）と、導電部（６１）が外部に配置される外部配線部位（７２）と、導電部（６１）が引き出し口に配置され、内部配線部位（７１）および外部配線部位（７２）の少なくともいずれか一方よりも小さい厚みを有する境界配線部位（７３）とを含む。このような構成により、面状発光部の封止構造を備える発光装置において、配線部材の設置に起因して封止性能が劣化することを抑制する発光装置を提供する。
2017149846.tif 000002
【特許請求の範囲】
【請求項１】
発光面と、前記発光面の裏側に配置される裏面とを有する面状発光部と、
前記面状発光部を前記発光面および前記裏面の両側から覆うように設けられ、前記面状発光部を封止する封止領域を形成する封止部材と、
前記面状発光部と電気的に接続される導電部を有し、前記封止領域から外部に延出する配線部材とを備え、
前記封止部材は、前記発光面および前記裏面を平面視した場合の前記封止部材の周縁において開口し、前記配線部材を外部に引き出す引き出し口を有し、
前記配線部材は、前記導電部が前記封止領域に配置される内部配線部位と、前記導電部が外部に配置される外部配線部位と、前記導電部が前記引き出し口に配置され、前記面状発光部の厚み方向において、前記内部配線部位および前記外部配線部位の少なくともいずれか一方よりも小さい厚みを有する境界配線部位とを含む、発光装置。
【請求項２】
前記配線部材は、基材と、前記基材の両面に設けられる前記導電部とを有するフレキシブル配線板であり、
前記導電部は、前記境界配線部位において前記基材の片面のみに設けられる、請求項１に記載の発光装置。
【請求項３】
前記配線部材は、前記導電部を覆うように設けられるカバー部をさらに有し、
前記カバー部は、前記境界配線部位において、前記導電部が設けられた前記基材の片面のみに設けられる、請求項２に記載の発光装置。
【請求項４】
前記配線部材は、基材と、前記基材の表面に設けられる前記導電部と、前記導電部を覆うように設けられるカバー部とを有するフレキシブル配線板であり、
前記カバー部には、前記境界配線部位において切り欠き部が形成される、請求項１から３のいずれか１項に記載の発光装置。
【請求項５】
前記配線部材は、基材と、前記基材の表面に設けられる前記導電部とを有するフレキシブル配線板であり、
前記基材には、前記境界配線部位において切り欠き部が形成される、請求項１から４のいずれか１項に記載の発光装置。
【請求項６】
前記配線部材は、基材と、前記基材の両面に設けられる前記導電部とを有するフレキシブル配線板であり、
前記導電部として、前記基材の一方の面に設けられる第１導電部と、前記基材の他方の面に設けられる第２導電部とが設けられ、
前記第１導電部は、前記第２導電部よりも小さい厚みを有し、
前記境界配線部位には、前記第１導電部および前記第２導電部のうちの前記第１導電部のみが設けられる、請求項１から５のいずれか１項に記載の発光装置。
【請求項７】
前記配線部材は、前記面状発光部の厚み方向に積層された複数層の前記導電部を有し、
前記境界配線部位における前記導電部の層数は、前記内部配線部位および前記外部配線部位の少なくともいずれか一方における前記導電部の層数よりも少ない、請求項１から６のいずれか１項に記載の発光装置。
【請求項８】
前記封止部材は、前記発光面側に配置される第１封止シートと、前記裏面側に配置される第２封止シートとを含み、さらに、
前記第１封止シートおよび前記第２封止シートの周縁同士を接着する接着層を備え、
前記接着層は、前記引き出し口に生じた前記封止部材および前記配線部材の間の隙間を充填するように設けられる、請求項１から７のいずれか１項に記載の発光装置。
【請求項９】
前記面状発光部は、基板と、前記基板上に設けられる発光素子と、前記基板上に設けられ、前記発光素子を封止する封止層とを有する、請求項１から８のいずれか１項に記載の発光装置。
【請求項１０】
発光面と、前記発光面の裏側に配置される裏面とを有する面状発光部と、
前記面状発光部を前記発光面および前記裏面の両側から覆うように設けられ、前記面状発光部を封止する封止領域を形成する封止部材と、
基材と、前記基材の表面に設けられ、前記面状発光部と電気的に接続される導電部と、前記導電部を覆うように設けられるカバー部とを有し、前記封止領域から外部に延出するフレキシブル配線板とを備え、
前記封止部材は、前記発光面および前記裏面を平面視した場合の前記封止部材の周縁において開口し、前記フレキシブル配線板を外部に引き出す引き出し口を有し、
前記カバー部および前記基材のいずれか一方には、前記引き出し口を含む断面において、前記面状発光部の厚み方向に直交する方向における前記カバー部および前記基材のいずれか一方の幅が、前記面状発光部の厚み方向に直交する方向における前記カバー部および前記基材のいずれか他方の幅よりも小さくなるように切り欠き部が形成される、発光装置。
【発明の詳細な説明】
【技術分野】
【０００１】
この発明は、一般的には、発光装置に関し、より特定的には、面状発光部の封止構造を備える発光装置に関する。
【背景技術】
【０００２】
従来の発光装置に関して、たとえば、特開２０１０−２４４６９８号公報には、機械的強度が強く、封止性に優れることを目的とした、有機ＥＬ装置が開示されている（特許文献１）。特許文献１に開示された有機ＥＬ装置は、有機ＥＬパネルと、配線基板と、有機ＥＬパネルおよび配線基板を挟み込む一対のフィルムシートとを備える。一対のフィルムシートが有機ＥＬ素子の周縁部で接着されることによって、有機ＥＬパネルが一対のフィルムシートの内部に密封されている。フィルムシートおよび有機ＥＬパネルの間の隙間と、配線基板の端面に形成されたフィルムシートおよび配線基板の隙間とが、第１封止樹脂層によって封止されている。【０００３】
また、特開２００８−１０３２５４号公報には、気密封止するための構造を簡略化し、全体的に略均一な圧力をかけて形成することを目的とした、有機ＥＬデバイスが開示されている（特許文献２）。特許文献２に開示された有機ＥＬデバイスは、有機ＥＬ素子と、有機ＥＬ素子を挟持するように設けられ、有機ＥＬ素子の周囲において互いに接着される延設部を有する第１フィルム状基材および第２フィルム状基材と、接着された第１フィルム状基材および第２フィルム状基材の延設部の少なくとも端面を被覆するように設けられるガスバリア性フィルムとを備える。【０００４】
また、特開２０１１−２７８１５号公報には、十分な耐久性能を確保することを目的とした、電気光学装置が開示されている（特許文献３）。特許文献３に開示された電気光学装置は、有機ＥＬ層を含む表示パネルと、表示パネルをその表裏面からラミネートする２枚の樹脂フィルムとを備える。
【先行技術文献】
【特許文献】
【０００５】
【特許文献１】特開２０１０−２４４６９８号公報
【特許文献２】特開２００８−１０３２５４号公報
【特許文献３】特開２０１１−２７８１５号公報
【発明の概要】
【発明が解決しようとする課題】
【０００６】
上述の特許文献１〜３に開示されるように、有機ＥＬパネル等の発光デバイスを利用した面状の発光装置（照明装置）が提案されており、屋内での照明用途だけでなく、屋外での看板や標識用内照照明、イルミネーション用素材としての利用が考えられている。【０００７】
このような発光装置においては、発光デバイスを風雨やほこり、空気などから保護するために、フィルム等の封止部材による封止構造を設ける必要がある。特に、有機ＥＬパネルは水分や酸素等に対する耐性が低いため、発光デバイスとして有機ＥＬパネルを利用した発光装置では、このような封止構造を設ける必要性が大きくなる。【０００８】
一方、上記のような封止構造を備えた発光装置では、発光デバイスに対する外部からの電気的な接続が問題となる。フィルム等の封止部材により封止された発光デバイスから電気配線を外部に取り出す際、わずかな隙間が生じてもその隙間から酸素や水分等が侵入したり、封止部材同士の接合面を通じて酸素や水分等が浸透したり、発光デバイスの基板の面方向から酸素や水分等が浸透するなどの懸念がある。たとえば、フレキシブル配線板を用いて電気配線を取り出す場合、フレキシブル配線板の厚みのために、フレキシブル配線板端部の封止部材に隙間が生じ、酸素や水分等の侵入を許してしまう。この場合、発光デバイスを酸素や水分等から適切に保護することができない。【０００９】
そこでこの発明の目的は、上記の課題を解決することであり、面状発光部の封止構造を備える発光装置において、配線部材の設置に起因して封止性能が劣化することを抑制する発光装置を提供することである。
【課題を解決するための手段】
【００１０】
この発明の１つの局面に従った発光装置は、発光面と、発光面の裏側に配置される裏面とを有する面状発光部と、面状発光部を発光面および裏面の両側から覆うように設けられ、面状発光部を封止する封止領域を形成する封止部材と、面状発光部と電気的に接続される導電部を有し、封止領域から外部に延出する配線部材とを備える。封止部材は、発光面および裏面を平面視した場合の封止部材の周縁において開口し、配線部材を外部に引き出す引き出し口を有する。配線部材は、導電部が封止領域に配置される内部配線部位と、導電部が外部に配置される外部配線部位と、導電部が引き出し口に配置され、面状発光部の厚み方向において、内部配線部位および外部配線部位の少なくともいずれか一方よりも小さい厚みを有する境界配線部位とを含む。【００１１】
この発明の別の局面に従った発光装置は、発光面と、発光面の裏側に配置される裏面とを有する面状発光部と、面状発光部を発光面および裏面の両側から覆うように設けられ、面状発光部を封止する封止領域を形成する封止部材と、基材と、基材の表面に設けられ、面状発光部と電気的に接続される導電部と、導電部を覆うように設けられるカバー部とを有し、封止領域から外部に延出するフレキシブル配線板とを備える。封止部材は、発光面および裏面を平面視した場合の封止部材の周縁において開口し、フレキシブル配線板を外部に引き出す引き出し口を有する。カバー部および基材のいずれか一方には、引き出し口を含む断面において、面状発光部の厚み方向に直交する方向におけるカバー部および基材のいずれか一方の幅が、面状発光部の厚み方向に直交する方向におけるカバー部および基材のいずれか他方の幅よりも小さくなるように切り欠き部が形成される。【００１２】
なお、本発明における「外部」とは、封止領域の外側の領域であって、封止部材の周囲の空間に解放された領域を意味する。
【発明の効果】
【００１３】
この発明に従えば、面状発光部の封止構造を備える発光装置において、配線部材の設置に起因して封止性能が劣化することを抑制する発光装置を提供することができる。
【図面の簡単な説明】
【００１４】
【図１】この発明の実施の形態１における発光装置を示す平面図である。
【図２】図１中の発光装置を示す分解組み立て図である。
【図３】図１中の面状発光部を示す断面図である。
【図４】図１中の配線部材を示す平面図である。
【図５】図１中の配線部材を示す底面図である。
【図６】図４中のＶＩ−ＶＩ線上に沿った配線部材を示す断面図である。
【図７】図６中のＶＩＩ−ＶＩＩ線上に沿った配線部材および封止部材を示す断面図である。
【図８】図７中の２点鎖線ＶＩＩＩで囲まれた範囲を拡大して示す断面図である。
【図９】この発明の実施の形態２における発光装置が備える配線部材を示す平面図である。
【図１０】図９中のＸ−Ｘ線上に沿った配線部材を示す断面図である。
【図１１】図１０中のＸＩ−ＸＩ線上に沿った配線部材および封止部材を示す断面図である。
【図１２】この発明の実施の形態３における発光装置が備える配線部材を示す平面図である。
【図１３】図１２中のＸＩＩＩ−ＸＩＩＩ線上に沿った配線部材を示す断面図である。
【図１４】図１３中のＸＩＶ−ＸＩＶ線上に沿った配線部材および封止部材を示す断面図である。
【図１５】この発明の実施の形態４における発光装置が備える配線部材を示す断面図である。
【図１６】この発明の実施の形態５における発光装置が備える配線部材を示す平面図である。
【図１７】図１６中のＸＶＩＩ−ＸＶＩＩ線上に沿った配線部材および封止部材を示す断面図である。
【発明を実施するための形態】
【００１５】
この発明の実施の形態について、図面を参照して説明する。なお、以下で参照する図面では、同一またはそれに相当する部材には、同じ番号が付されている。
【００１６】
（実施の形態１）
図１は、この発明の実施の形態１における発光装置を示す平面図である。図２は、図１中の発光装置を示す分解組み立て図である。
【００１７】
図１および図２を参照して、本実施の形態における発光装置１０は、薄板形状を有し、照明、装飾またはバックライト等の様々な用途で用いられる。
【００１８】
発光装置１０は、面状発光部３１を有する。面状発光部３１は、面状に延在する発光手段（発光デバイス）として設けられている。本実施の形態では、面状発光部３１が、有機ＥＬパネルから構成されている。面状発光部３１は、可撓性を有しており、全体として曲げ可能である。発光装置１０は、複数の面状発光部３１を有してもよい。
【００１９】
図３は、図１中の面状発光部を示す断面図である。図３を参照して、面状発光部３１は、発光面３１ｓおよび裏面３１ｔを有する。面状発光部３１は、発光面３１ｓから発光する。裏面３１ｔは、発光面３１ｓの裏側に配置されている。
【００２０】
面状発光部３１は、発光面３１ｓおよび裏面３１ｔを正面から見る平面視において、矩形形状を有する。面状発光部３１の厚みは、たとえば、５０μｍ〜２００μｍである。
【００２１】
面状発光部３１は、基板としての透明基板４１と、バリア層３２と、陽極（アノード）３３と、発光素子としての有機層３４と、陰極（カソード）３５と、封止層３６と、絶縁層３７とを有する。
【００２２】
透明基板４１は、面状発光部３１の発光面３１ｓ側に配置されている。バリア層３２は、発光面３１ｓとは反対側の透明基板４１の表面を覆うように設けられている。陽極３３、有機層３４および陰極３５は、バリア層３２上に順次積層されている。封止層３６は、陽極３３、有機層３４および陰極３５からなる積層体を覆うように設けられている。
【００２３】
透明基板４１は、透明性を有する。透明基板４１を構成する部材としては、たとえば、ポリエチレンテレフタレート（ＰＥＴ）またはポリカーボネイト（ＰＣ）等の光透過性のフィルム基板が用いられる。
【００２４】
光透過性のフィルム基板としては、他にポリイミド、ポリエチレンナフタレート（ＰＥＮ）、ポリスチレン（ＰＳ）、ポリエーテルサルフォン（ＰＥＳ）またはポリプロピレン（ＰＰ）等が用いられる。
【００２５】
バリア層３２は、透明性を有する。バリア層３２は、たとえば、珪素酸化物や珪素窒化物等の珪素化合物、金属酸化物や金属窒化物等の金属化合物、またはこれらの混合物から構成されている。バリア層３２は、有機層３４を、大気中や基板中の水分および酸素等から保護するために設けられている。
【００２６】
陽極３３は、透明性を有する導電膜である。陽極３３を形成するためには、スパッタリング法等によって、ＩＴＯ（Indium  Tin  Oxide：インジウム錫酸化物）等が透明基板４１上に成膜される。陽極３３に用いられる他の材料としては、ポリエチレンジオキシチオフェン（ＰＥＤＯＴ）が用いられる。
【００２７】
有機層３４は、電力が供給されることによって光（可視光）を生成することが可能である。有機層３４は、単層の発光層から構成されてもよく、正孔輸送層、発光層、正孔阻止層および電子輸送層などが順次積層されることによって構成されてもよい。
【００２８】
陰極３５は、たとえば、アルミニウム（Ａｌ）である。陰極３５は、真空蒸着法等によって有機層３４を覆うように形成されている。陰極３５を所定の形状にパターニングするために、真空蒸着の際にはマスクが用いられるとよい。陰極３５の他の材料としては、フッ化リチウム（ＬｉＦ）、ＡｌとＣａとの積層、ＡｌとＬｉＦとの積層、または、ＡｌとＢａとの積層等が用いられる。
【００２９】
陰極３５と陽極３３とが短絡しないように、陰極３５と陽極３３との間には絶縁層３７が設けられている。絶縁層３７は、たとえば、スパッタリング法を用いてＳｉＯ２などが成膜された後、フォトリソグラフィ法等を用いて陰極３５と陽極３３とを互いに絶縁する箇所を覆うように所望のパターンに形成される。
【００３０】
封止層３６は、面状発光部３１の裏面３１ｔ側に配置されている。封止層３６は、絶縁性を有する樹脂から形成されている。封止層３６は、有機層３４を、大気中の水分や酸素等から保護するために設けられている。封止層３６は、陽極３３、有機層３４および陰極３５を透明基板４１上に封止する。なお、陽極３３の一部は、電気的な接続のために封止層３６から露出している。
【００３１】
封止層３６には、ＰＥＴ、ＰＥＮ、ＰＳ、ＰＥＳ、ポリイミド等のフィルムに、ＳｉＯ２、Ａｌ２Ｏ３、ＳｉＮｘ等の無機薄膜と、柔軟性のあるアクリル樹脂薄膜などとを層状に複数層重ね合わせることでガスバリア性を備えたものが用いられてもよい。
【００３２】
封止層３６から露出している陽極３３の部分（図３中の左側の部分）は、給電部（陽極用）３８を構成する。給電部３８と陽極３３とは互いに同じ材料で構成される。封止層３６から露出している陰極３５の部分（図３中の右側の部分）は、給電部（陰極用）３９を構成する。給電部３９と陰極３５とは互いに同じ材料で構成される。
【００３３】
以上のように構成される面状発光部３１においては、後述する配線部材５１、給電部３８，３９、陽極３３および陰極３５を通じて、有機層３４に給電される。電力供給により有機層３４で生成された光は、陽極３３、バリア層３２および透明基板４１を通じて、発光面３１ｓから外部に出射される。
【００３４】
なお、本実施の形態では、裏面３１ｔが非発光面となる面状発光部３１について説明したが、このような構成に限られず、本発明における面状発光部は、裏面も発光面となる両面発光型であってもよい。また、本実施の形態では、面状発光部３１が可撓性を有する場合について説明したが、面状発光部３１は、曲げ変形不可なリジットな構成であってもよい。
【００３５】
図１から図３を参照して、発光装置１０は、封止部材２０をさらに有する。封止部材２０は、面状発光部３１を、発光面３１ｓおよび裏面３１ｔの両側から覆うように設けられている。封止部材２０は、面状発光部３１を封止する封止領域１１０を形成している。
【００３６】
本実施の形態では、封止部材２０として、第１封止シートとしての封止シート２１と、第２封止シートとしての封止シート２６とが設けられている。
【００３７】
封止シート２１および封止シート２６は、それぞれ、面状発光部３１の発光面３１ｓおよび裏面３１ｔ側に配置されている。面状発光部３１の厚み方向において、封止シート２１および後述する配線部材５１の間には、面状発光部３１が設けられている。面状発光部３１の厚み方向において、面状発光部３１および封止シート２６の間には、後述する配線部材５１が設けられている。
【００３８】
封止シート２１および封止シート２６は、シート状であり、その平面視において略同一の形状を有する。封止シート２１および封止シート２６は、略矩形の平面視を有する。封止シート２１および封止シート２６の周縁が全周に渡って接合されることにより、面状発光部３１が封止領域１１０に封止されている。面状発光部３１は、封止シート２１および封止シート２６により真空ラミネートされている。すなわち、封止シート２１および封止シート２６は、封止領域１１０に実質的に空気が存在しない状態で面状発光部３１を封止している。
【００３９】
封止シート２１，２６としては、たとえば、シート状の樹脂部材が用いられる。封止シート２１，２６は、可撓性を有する。封止シート２１，２６は、面状発光部３１と同程度の厚みを有する。
【００４０】
封止シート２１，２６の具体的な材質は、ポリエチレンテレフタレート、ポリプロピレン、アクリル、ポリイミドまたはポリサルフォン等である。封止シート２１，２６としては、これらの素材に加えて、バリア性を向上させるために各種の成膜を施したものを用いてもよい。封止シート２１，２６の色は特に制約がないが、封止シート２１，２６のうちの少なくとも封止シート２１は、面状発光部３１の発光面３１ｓから出射された光を透過させるため高い透明性を有する。封止シート２１および封止シート２６の両方が、透明性を有してもよい。封止シート２１，２６の片面または両面に、面方向からの封止性能を強化するためのバリアコート剤が設けられてもよい。
【００４１】
封止シート２１，２６を接合するために、封止シート２１，２６の内側表面には接着層（不図示）が設けられる。接着層を形成するための接着剤としては、たとえば、熱可塑性樹脂、熱硬化性樹脂または紫外線硬化樹脂等の種々の材料が用いられる。接着層の厚みは、たとえば、２０μｍ〜１００μｍである。
【００４２】
発光装置１０は、配線部材５１をさらに有する。配線部材５１は、シート状であり、面状発光部３１の厚み方向において面状発光部３１と重ね合わされている。配線部材５１は、面状発光部３１と同程度の厚みを有する。配線部材５１は、全体として、曲げ可能である。配線部材５１は、封止領域１１０から、封止領域１１０の外側の外部領域１２０に向けて延出するように設けられている。外部領域１２０は、封止部材２０の周囲の空間に解放されている。
【００４３】
より具体的には、封止領域１１０において、配線部材５１の一部が、面状発光部３１の厚み方向に面状発光部３１と重ね合わされている。配線部材５１は、面状発光部３１の裏面３１ｔ側と面合わせとなるように配置されている。封止領域１１０において、配線部材５１は、面状発光部３１と電気的に接続されている。外部領域１２０において、配線部材５１には、外部電力が供給される外部配線が接続される。外部領域１２０において、配線部材５１には、コンデンサ、抵抗、ＩＣ（Integrated  Circuit）等の電子部品が接続されてもよい。
【００４４】
図４は、図１中の配線部材を示す平面図である。図５は、図１中の配線部材を示す底面図である。図４中には、面状発光部３１と面合わせとなる側から見た配線部材５１が示され、図５中には、面状発光部３１と面合わせとなる側とは反対の側から見た配線部材５１が示されている。図４および図５中では、後述するカバー部８２およびカバー部８３の図示が省略されている。
【００４５】
図１から図５を参照して、配線部材５１は、フレキシブル配線板であり、基材５２と、導電部６１とを有する。
【００４６】
基材５２は、可撓性を有する。基材５２は、たとえば、ポリイミドなどの可撓性ベース基板である。
【００４７】
基材５２は、その構成部位として、延出部５３と、分岐部５４および分岐部５５と、対向部５６および対向部５７とを有する。延出部５３は、封止領域１１０および外部領域１２０の間で延びている。延出部５３は、直線状に延びている。分岐部５４および分岐部５５と、対向部５６および対向部５７とは、封止領域１１０に配置されている。分岐部５４および分岐部５５は、延出部５３の端部から二方向に分岐し、面状発光部３１の一辺に沿って延びている。
【００４８】
対向部５６および対向部５７は、それぞれ、分岐部５４および分岐部５５から折れ曲がり、面状発光部３１の互いに対向する二辺に沿って延びている。対向部５６および対向部５７は、互いに平行に延びている。対向部５６は、面状発光部３１の厚み方向において、面状発光部３１の給電部（陽極用）３８と重なり合う位置に配置されている。対向部５７は、面状発光部３１の厚み方向において、面状発光部３１の給電部（陰極用）３９と重なり合う位置に配置されている。
【００４９】
なお、上記の基材５２の形状は、一例であり、基材５２の形状は、面状発光部３１の配置や、給電部（陽極用）３８および給電部（陰極用）３９の位置、配線部材５１を外部領域１２０に引き出す位置などを考慮して、適宜変更される。
【００５０】
導電部６１は、印刷、蒸着、メッキまたはスパッタなどの成膜技術によって、基材５２の表面に形成されている。導電部６１の厚みは、たとえば０．１μｍ〜１０μｍである。導電部６１の材質は、たとえば、銅もしくはニッケル、またはこれらの積層体である。銅もしくはニッケル、またはこれらの積層体に加えて、これらの表面に金がメッキされてもよい。成膜に限られず、導電部６１は、いわゆる銅箔テープなど、金属製の薄箔が、導電性接着剤（ＡＣＦ：異方性導電膜など）を用いて基材５２の表面に貼り付けられたものであってもよい。
【００５１】
特に本実施の形態では、配線部材５１が、導電部６１が基材５２の両面に設けられる両面フレキシブル配線板である。
【００５２】
より具体的には、基材５２は、第１面５２ａおよび第２面５２ｂを有する。第１面５２ａは、面状発光部３１と面合わせとなる側に配置されている。第２面５２ｂは、面状発光部３１と面合わせとなる側とは反対の側であって、第１面５２ａの裏側に配置されている。導電部６１として、基材５２の第１面５２ａに設けられる第１導電部６２と、基材５２の第２面５２ｂに設けられる第２導電部６３（６３ｐ，６３ｑ）とが設けられている。
【００５３】
図４中に示すように、第１導電部６２は、封止領域１１０および外部領域１２０の間に渡って設けられている。第１導電部６２は、基材５２の第１面５２ａ上において、延出部５３から分岐部５４を通り、対向部５６に沿って設けられ、また、延出部５３から分岐部５５を通り、対向部５７に沿って設けられている。２本の第１導電部６２は、それぞれ、対向部５６および対向部５７において、面状発光部３１の給電部（陽極用）３８および給電部（陰極用）３９に接続されている。第１導電部６２と、給電部（陽極用）３８および給電部（陰極用）３９とは、ＡＣＦを用いて接着されてもよいし、圧接により接続されてもよい。
【００５４】
図５中に示すように、第２導電部６３ｐは、封止領域１１０に設けられている。第２導電部６３ｐは、封止領域１１０において、分岐部５４および分岐部５５に沿って設けられている。第２導電部６３ｐは、分岐部５４および分岐部５５において、基材５２の第１面５２ａ上に設けられた第１導電部６２と表裏に重なるように配置されている。第２導電部６３ｐおよび第１導電部６２は、基材５２を貫通するスルーホール（不図示）を介して互いに電気的に接続されている。
【００５５】
第２導電部６３ｑは、外部領域１２０に設けられている。第２導電部６３ｑは、外部領域１２０において、延出部５３に沿って設けられている。第２導電部６３ｑは、延出部５３において、基材５２の第１面５２ａ上に設けられた第１導電部６２と、部分的に表裏に重なるように配置されている。第２導電部６３ｑおよび第１導電部６２は、基材５２を貫通するスルーホール（不図示）を介して互いに電気的に接続されている。第２導電部６３ｑには、外部電力が供給される外部配線が接続される。
【００５６】
配線部材５１として両面フレキシブル配線板を用いることによって、複雑な配線を構成することができる。たとえば、本実施の形態のように、封止領域１１０および外部領域１２０において導電部６１を基材５２の両面に配することにより、封止領域１１０における導電部６１および面状発光部３１間の接続と、外部領域１２０における導電部６１および外部配線間の接続とを、基材５２の互いに反対側の面で行なうことができる。また、導通チェックランドを設置する基材５２の面の自由度を高めたり、温度センサや圧力センサ、湿度センサ、酸素センサ等の各種センサの信号線を追加したり、正極および負極の導電部６１を交差させるなど、配線の自由度を高めることができる。
【００５７】
また、本実施の形態では、封止領域１１０において導電部６１を基材５２の両面に配することにより、導電部６１の配線パターンを細くすることができる（図４および図５中において、分岐部５４および分岐部５５における導電部６１の幅ｂ１＜対向部５６および対向部５７ならびに延出部５３における導電部６１の幅Ｂ１）。このような構成によれば、面状発光部３１の発光範囲の周囲に存在する非発光部の幅を小さくすることができる。
【００５８】
図６は、図４中のＶＩ−ＶＩ線上に沿った配線部材を示す断面図である。図７は、図６中のＶＩＩ−ＶＩＩ線上に沿った配線部材および封止部材を示す断面図である。
【００５９】
図４から図７を参照して、配線部材５１は、カバー部（カバーレイ）８２およびカバー部８３をさらに有する。カバー部８２およびカバー部８３は、導電部６１を覆うように基材５２の表面上に設けられている。
【００６０】
より具体的には、カバー部８２は、第１導電部６２を覆うように、基材５２の第１面５２ａ上に設けられている。カバー部８２には、面状発光部３１の給電部（陽極用）３８および給電部（陰極用）３９と対向する位置において、第１導電部６２を露出させるための開口部または切り欠き部（不図示）が形成されている。
【００６１】
カバー部８３（８３ｐ，８３ｑ）は、第２導電部６３を覆うように、基材５２の第２面５２ｂ上に設けられている。カバー部８３ｐは、封止領域１１０に設けられている。カバー部８３ｐは、封止領域１１０において、第２導電部６３ｐを覆うように設けられている。カバー部８３ｑは、外部領域１２０に設けられている。カバー部８３ｑは、外部領域１２０において、第２導電部６３ｑを覆うように設けられている。
【００６２】
封止部材２０は、引き出し口２２を有する。引き出し口２２は、封止部材２０の周縁において開口する。配線部材５１は、封止領域１１０から引き出し口２２を通じて外部領域１２０に引き出されている。引き出し口２２は、配線部材５１の断面形状に対応する開口形状を有する。引き出し口２２は、面状発光部３１の面方向において、面状発光部３１から遠ざかる方向を向いて開口している。
【００６３】
配線部材５１は、その構成部位として、内部配線部位７１、外部配線部位７２および境界配線部位７３を有する。
【００６４】
内部配線部位７１は、配線部材５１のうちの、導電部６１が封止領域１１０に配置される部位である。外部配線部位７２は、配線部材５１のうちの、導電部６１が外部領域１２０に配置される部位である。境界配線部位７３は、配線部材５１のうちの、導電部６１が引き出し口２２に配置される部位である。境界配線部位７３は、配線部材５１のうちの、内部配線部位７１および外部配線部位７２の境界に配置される部位である。
【００６５】
境界配線部位７３は、面状発光部３１の厚み方向において、内部配線部位７１および外部配線部位７２の少なくともいずれか一方よりも小さい厚みを有する。各配線部位の厚みは、導電部６１が存在する部分の厚みである。外部領域１２０において、配線部材５１に各種の電子部品が接続される場合、外部配線部位７２の厚みは、電子部品を含まない外部配線部位７２の厚みである。
【００６６】
より具体的には、両面フレキシブル配線板である配線部材５１において、境界配線部位７３では、基材５２の第１面５２ａおよび第２面５２ｂのうちの第１面５２ａにのみ導電部６１（第１導電部６２）が設けられている。また、基材５２の第２面５２ｂ上において導電部６１（第２導電部６３）を覆うカバー部８３は、境界配線部位７３に設けられていない。このような構成により、境界配線部位７３は、内部配線部位７１よりも小さい厚みを有し、外部配線部位７２よりも小さい厚みを有する（図６および図７中において、Ｔ３＜Ｔ１，Ｔ２）。
【００６７】
配線部材５１の厚みが大きい場合、配線部材５１の段差によって封止部材２０および配線部材５１の間に隙間が生じ、この隙間が酸素や水分のリーク経路となり得る。また、封止シート２１および封止シート２６間の接着層の密度が低くなったり、気泡の発生により酸素や水分が透過し易くなったりする。
【００６８】
これに対して、本実施の形態では、境界配線部位７３の厚みを、内部配線部位７１および外部配線部位７２の厚みよりも小さくすることによって、引き出し口２２において、封止部材２０および配線部材５１の間に隙間が生じることを抑制できる。これにより、封止部材２０による面状発光部３１の封止性能を高めることができる。
【００６９】
図８は、図７中の２点鎖線ＶＩＩＩで囲まれた範囲を拡大して示す断面図である。図８を参照して、本実施の形態では、封止シート２１および封止シート２６を接合するための接着層７６が、引き出し口２２における封止部材２０および配線部材５１間の隙間を充填するように設けられている。
【００７０】
このような構成によれば、引き出し口２２において、封止部材２０および配線部材５１の間に隙間が生じることをより効果的に抑制できる。これにより、気泡の発生や接着層７６の密度の低下を抑制し、わずかな水分や酸素の透過をも防ぐことができる。
【００７１】
なお、封止シート２１および封止シート２６の接合工程時、接着層７６を形成するための接着剤の厚みを、配線部材５１の厚みよりも大きく設定することが好ましい。この場合、接着剤を封止部材２０および配線部材５１間の隙間を埋めるように設け易くなる。
【００７２】
以上に説明した、この発明の実施の形態１における発光装置１０の構造についてまとめて説明すると、本実施の形態における発光装置１０は、発光面３１ｓと、発光面３１ｓの裏側に配置される裏面３１ｔとを有する面状発光部３１と、面状発光部３１を発光面３１ｓおよび裏面３１ｔの両側から覆うように設けられ、面状発光部３１を封止する封止領域１１０を形成する封止部材２０と、面状発光部３１と電気的に接続される導電部６１を有し、封止領域１１０から外部に延出する配線部材５１とを備える。封止部材２０は、発光面３１ｓおよび裏面３１ｔを平面視した場合の封止部材２０の周縁において開口し、配線部材５１を外部に引き出す引き出し口２２を有する。配線部材５１は、導電部６１が封止領域１１０に配置される内部配線部位７１と、導電部６１が外部に配置される外部配線部位７２と、導電部６１が引き出し口２２に配置され、面状発光部３１の厚み方向において、内部配線部位７１および外部配線部位７２の少なくともいずれか一方よりも小さい厚みを有する境界配線部位７３とを含む。
【００７３】
このように構成された、この発明の実施の形態１における発光装置１０によれば、配線部材５１の設置に起因して面状発光部３１の封止性能が劣化することを抑制できる。これにより、面状発光部３１を酸素や水分などから適切に保護して、発光装置１０の長寿命化を図ることができる。
【００７４】
なお、本実施の形態では、配線部材５１がフレキシブル配線板である場合について説明したが、本発明は、このような構成に限られない。たとえば、配線部材として、導電部を絶縁材を介して複数層に積層した多層基板を用いてもよい。この場合、境界配線部位７３における導電部の層数を、内部配線部位７１および外部配線部位７２の少なくともいずれか一方における導電部の層数よりも少なく設定すればよい。
【００７５】
（実施の形態２）
図９は、この発明の実施の形態２における発光装置が備える配線部材を示す平面図である。図１０は、図９中のＸ−Ｘ線上に沿った配線部材を示す断面図である。図１１は、図１０中のＸＩ−ＸＩ線上に沿った配線部材および封止部材を示す断面図である。図９、図１０および図１１は、それぞれ、実施の形態１における図４、図６および図７に対応する図である。
【００７６】
本実施の形態における発光装置は、実施の形態１における発光装置１０と比較して、基本的には同様の構造を備える。以下、重複する構造については、その説明を繰り返さない。
【００７７】
図９から図１１を参照して、本実施の形態では、配線部材５１が、導電部６１が基材５２の片面のみに設けられる片面フレキシブル配線板であり、導電部６１として、第１導電部６２が基材５２の第１面５２ａ上に設けられている。配線部材５１は、カバー部８２を有する。カバー部８２は、第１導電部６２を覆うように基材５２の第１面５２ａ上に設けられている。
【００７８】
カバー部８２には、境界配線部位７３において切り欠き部８６が形成されている。切り欠き部８６は、カバー部８２を封止領域１１０および外部領域１２０の間で分断するように形成されている。導電部６１（第１導電部６２）は、境界配線部位７３においてカバー部８２から露出している。導電部６１（第１導電部６２）は、境界配線部位７３において、封止部材２０によって直接覆われている。
【００７９】
このような構成により、境界配線部位７３が、内部配線部位７１よりも小さい厚みを有し、外部配線部位７２よりも小さい厚みを有する構成が実現されている（図１０および図１１中において、Ｔ３＜Ｔ１，Ｔ２）。
【００８０】
このように構成された、この発明の実施の形態２における発光装置によれば、実施の形態１に記載の効果を同様に奏することができる。
【００８１】
（実施の形態３）
図１２は、この発明の実施の形態３における発光装置が備える配線部材を示す平面図である。図１３は、図１２中のＸＩＩＩ−ＸＩＩＩ線上に沿った配線部材を示す断面図である。図１４は、図１３中のＸＩＶ−ＸＩＶ線上に沿った配線部材および封止部材を示す断面図である。図１２、図１３および図１４は、それぞれ、実施の形態１における図４、図６および図７に対応する図である。
【００８２】
本実施の形態における発光装置は、実施の形態１における発光装置１０と比較して、基本的には同様の構造を備える。以下、重複する構造については、その説明を繰り返さない。
【００８３】
図１２から図１４を参照して、本実施の形態では、配線部材５１が、導電部６１が基材５２の片面のみに設けられる片面フレキシブル配線板であり、導電部６１として、第１導電部６２が基材５２の第１面５２ａ上に設けられている。配線部材５１は、カバー部８２を有する。カバー部８２は、第１導電部６２を覆うように基材５２の第１面５２ａ上に設けられている。
【００８４】
カバー部８２には、境界配線部位７３において切り欠き部８７が形成されている。切り欠き部８７は、カバー部８２を封止領域１１０および外部領域１２０の間で分断するように形成されている。導電部６１（第１導電部６２）は、境界配線部位７３においてカバー部８２から露出している。基材５２には、境界配線部位７３において切り欠き部８８が形成されている。切り欠き部８８は、基材５２を封止領域１１０および外部領域１２０の間で分断するように形成されている。切り欠き部８７および切り欠き部８８は、面状発光部３１の厚み方向において重なって設けられている。導電部６１（第１導電部６２）は、境界配線部位７３において、封止部材２０によって直接覆われている。
【００８５】
このような構成により、境界配線部位７３が、内部配線部位７１よりも小さい厚みを有し、外部配線部位７２よりも小さい厚みを有する構成が実現されている（図１３および図１４中において、Ｔ３＜Ｔ１，Ｔ２）。
【００８６】
このように構成された、この発明の実施の形態３における発光装置によれば、実施の形態１に記載の効果を同様に奏することができる。
【００８７】
なお、本実施の形態における発光装置において、カバー部８２および基材５２のうちの基材５２にのみ切り欠き部８８を設ける構成としてもよい。
【００８８】
（実施の形態４）
図１５は、この発明の実施の形態４における発光装置が備える配線部材を示す断面図である。図１５は、実施の形態１における図６に対応する図である。
【００８９】
本実施の形態における発光装置は、実施の形態１における発光装置１０と比較して、基本的には同様の構造を備える。以下、重複する構造については、その説明を繰り返さない。
【００９０】
図１５を参照して、配線部材５１は、導電部６１が基材５２の両面に設けられる両面フレキシブル配線板であり、導電部６１として、第１導電部６２が基材５２の第１面５２ａ上に設けられ、第２導電部６３が基材５２の第２面５２ｂ上に設けられている。
【００９１】
本実施の形態では、第２導電部６３が、外部領域１２０に設けられている。第２導電部６３は、外部領域１２０において、延出部５３に沿って設けられている。第２導電部６３は、延出部５３において、基材５２の第１面５２ａ上に設けられた第１導電部６２と、部分的に表裏に重なるように配置されている。第１導電部６２および第２導電部６３は、基材５２を貫通するスルーホール（不図示）を介して互いに電気的に接続されている。
【００９２】
配線部材５１は、カバー部８２およびカバー部８３を有する。カバー部８２は、第１導電部６２を覆うように基材５２の第１面５２ａ上に設けられている。カバー部８３は、第２導電部６３を覆うように基材５２の第２面５２ｂ上に設けられている。
【００９３】
第１導電部６２は、第２導電部６３よりも小さい厚みを有する。境界配線部位７３には、第１導電部６２および第２導電部６３のうちの第１導電部６２のみが設けられている。基材５２の第２面５２ｂ上において第２導電部６３を覆うカバー部８３は、境界配線部位７３に設けられていない。
【００９４】
このような構成により、境界配線部位７３が、外部配線部位７２よりも小さい厚みを有する構成が実現されている（図１５中において、Ｔ１＜Ｔ２）。
【００９５】
このように構成された、この発明の実施の形態４における発光装置によれば、実施の形態１に記載の効果を同様に奏することができる。加えて、外部領域１２０に相対的に大きい厚みを有する第２導電部６３を配することにより、外部配線部位７２の強度を向上させたり、外部配線部位７２における電気抵抗を小さくしたりできる。
【００９６】
（実施の形態５）
図１６は、この発明の実施の形態５における発光装置が備える配線部材を示す平面図である。図１７は、図１６中のＸＶＩＩ−ＸＶＩＩ線上に沿った配線部材および封止部材を示す断面図である。図１６および図１７は、それぞれ、実施の形態１における図４および図７に対応する図である。
【００９７】
本実施の形態における発光装置は、実施の形態１における発光装置１０と比較して、基本的には同様の構造を備える。以下、重複する構造については、その説明を繰り返さない。
【００９８】
図１６および図１７を参照して、本実施の形態では、配線部材５１が、導電部６１が基材５２の片面のみに設けられる片面フレキシブル配線板であり、導電部６１として、第１導電部６２が基材５２の第１面５２ａ上に設けられている。配線部材５１は、カバー部８２を有する。カバー部８２は、第１導電部６２を覆うように基材５２の第１面５２ａ上に設けられている。
【００９９】
カバー部８２には、境界配線部位７３において切り欠き部８９が形成されている。切り欠き部８９は、引き出し口２２を含む断面において、面状発光部３１の厚み方向に直交する方向におけるカバー部８２の幅が、同方向における基材５２の幅よりも小さくなるように形成されている（図１７中において、Ｌ２＜Ｌ１）。切り欠き部８９は、引き出し口２２を含む断面において、面状発光部３１の厚み方向に直交する方向における基材５２の第１面５２ａの端部をカバー部８２から露出させるように形成されている。そのカバー部８２から露出する基材５２の第１面５２ａの端部は、封止部材２０によって覆われている。
【０１００】
このように構成された、この発明の実施の形態５における発光装置によれば、実施の形態１に記載の効果を同様に奏することができる。
【０１０１】
なお、本実施の形態における発光装置において、カバー部８２に切り欠き部８９を形成せずに、基材５２に切り欠き部８９と同じ形態で切り欠き部を形成してもよい。この場合、切り欠き部は、引き出し口２２を含む断面において、面状発光部３１の厚み方向に直交する方向における基材５２の幅が、同方向におけるカバー部８２の幅よりも小さくなるように形成される。
【０１０２】
この発明の１つの局面に従った発光装置は、発光面と、発光面の裏側に配置される裏面とを有する面状発光部と、面状発光部を発光面および裏面の両側から覆うように設けられ、面状発光部を封止する封止領域を形成する封止部材と、面状発光部と電気的に接続される導電部を有し、封止領域から外部に延出する配線部材とを備える。封止部材は、発光面および裏面を平面視した場合の封止部材の周縁において開口し、配線部材を外部に引き出す引き出し口を有する。配線部材は、導電部が封止領域に配置される内部配線部位と、導電部が外部に配置される外部配線部位と、導電部が引き出し口に配置され、面状発光部の厚み方向において、内部配線部位および外部配線部位の少なくともいずれか一方よりも小さい厚みを有する境界配線部位とを含む。
【０１０３】
なお、本発明における「外部」とは、封止領域の外側の領域であって、封止部材の周囲の空間に解放された領域を意味する。
【０１０４】
このように構成された発光装置によれば、境界配線部位を、内部配線部位および外部配線部位の少なくともいずれか一方よりも小さい厚みとすることによって、引き出し口において、配線部材および封止部材の間に隙間が生じることを抑制できる。これにより、封止部材による面状発光部の封止性能の劣化を抑制することができる。
【０１０５】
また好ましくは、配線部材は、基材と、基材の両面に設けられる導電部とを有するフレキシブル配線板である。導電部は、境界配線部位において基材の片面のみに設けられる。
【０１０６】
このように構成された発光装置によれば、導電部を、境界配線部位において基材の片面のみに設けることによって、境界配線部位を、内部配線部位および外部配線部位の少なくともいずれか一方よりも小さい厚みとすることができる。
【０１０７】
また好ましくは、配線部材は、導電部を覆うように設けられるカバー部をさらに有する。カバー部は、境界配線部位において、導電部が設けられた基材の片面のみに設けられる。
【０１０８】
このように構成された発光装置によれば、カバー部を、境界配線部位において、導電部が設けられた基材の片面のみに設けることによって、境界配線部位を、内部配線部位および外部配線部位の少なくともいずれか一方と比較して、さらに小さい厚みとすることができる。
【０１０９】
また好ましくは、配線部材は、基材と、基材の表面に設けられる導電部と、導電部を覆うように設けられるカバー部とを有するフレキシブル配線板である。カバー部には、境界配線部位において切り欠き部が形成される。
【０１１０】
このように構成された発光装置によれば、境界配線部位において、カバー部に切り欠き部を形成することによって、境界配線部位を、内部配線部位および外部配線部位の少なくともいずれか一方よりも小さい厚みとすることができる。
【０１１１】
また好ましくは、配線部材は、基材と、基材の表面に設けられる導電部とを有するフレキシブル配線板である。基材には、境界配線部位において切り欠き部が形成される。
【０１１２】
このように構成された発光装置によれば、境界配線部位において、基材に切り欠き部を形成することによって、境界配線部位を、内部配線部位および外部配線部位の少なくともいずれか一方よりも小さい厚みとすることができる。
【０１１３】
また好ましくは、配線部材は、基材と、基材の両面に設けられる導電部とを有するフレキシブル配線板である。導電部として、基材の一方の面に設けられる第１導電部と、基材の他方の面に設けられる第２導電部とが設けられる。第１導電部は、第２導電部よりも小さい厚みを有する。境界配線部位には、第１導電部および第２導電部のうちの第１導電部のみが設けられる。
【０１１４】
このように構成された発光装置によれば、境界配線部位に、相対的に小さい厚みを有する第１導電部のみを設けることによって、境界配線部位を、内部配線部位および外部配線部位の少なくともいずれか一方よりも小さい厚みとすることができる。
【０１１５】
また好ましくは、配線部材は、面状発光部の厚み方向に積層された複数層の導電部を有する。境界配線部位における導電部の層数は、内部配線部位および外部配線部位の少なくともいずれか一方における導電部の層数よりも少ない。
【０１１６】
このように構成された発光装置によれば、境界配線部位における導電部の総数を相対的に少なくすることによって、境界配線部位を、内部配線部位および外部配線部位の少なくともいずれか一方よりも小さい厚みとすることができる。
【０１１７】
また好ましくは、封止部材は、発光面側に配置される第１封止シートと、裏面側に配置される第２封止シートとを含む。発光装置は、第１封止シートおよび第２封止シートの周縁同士を接着する接着層を備える。接着層は、引き出し口に生じた封止部材および配線部材の間の隙間を充填するように設けられる。
【０１１８】
このように構成された発光装置によれば、引き出し口において、配線部材および封止部材の間に隙間が生じることをより効果的に抑制できる。
【０１１９】
また好ましくは、面状発光部は、基板と、基板上に設けられる発光素子と、基板上に設けられ、発光素子を封止する封止層とを有する。
【０１２０】
このように構成された発光装置によれば、面状発光部を封止する封止部材と、発光素子を封止する封止層とによる２重の封止構造によって、発光素子の封止性能を高めることができる。
【０１２１】
この発明の別の局面に従った発光装置は、発光面と、発光面の裏側に配置される裏面とを有する面状発光部と、面状発光部を発光面および裏面の両側から覆うように設けられ、面状発光部を封止する封止領域を形成する封止部材と、基材と、基材の表面に設けられ、面状発光部と電気的に接続される導電部と、導電部を覆うように設けられるカバー部とを有し、封止領域から外部に延出するフレキシブル配線板とを備える。封止部材は、発光面および裏面を平面視した場合の封止部材の周縁において開口し、フレキシブル配線板を外部に引き出す引き出し口を有する。カバー部および基材のいずれか一方には、引き出し口を含む断面において、面状発光部の厚み方向に直交する方向におけるカバー部および基材のいずれか一方の幅が、面状発光部の厚み方向に直交する方向におけるカバー部および基材のいずれか他方の幅よりも小さくなるように切り欠き部が形成される。
【０１２２】
なお、本発明における「外部」とは、封止領域の外側の領域であって、封止部材の周囲の空間に解放された領域を意味する。
【０１２３】
このように構成された発光装置によれば、カバー部および基材のいずれか一方に、引き出し口を含む断面においてカバー部および基材のいずれか他方よりも幅狭となるように切り欠き部を形成することによって、引き出し口において、フレキシブル配線板および封止部材の間に隙間が生じることを抑制できる。これにより、封止部材による面状発光部の封止性能の低下を抑制することができる。
【０１２４】
今回開示された実施の形態はすべての点で例示であって制限的なものではないと考えられるべきである。本発明の範囲は上記した説明ではなくて請求の範囲によって示され、請求の範囲と均等の意味および範囲内でのすべての変更が含まれることが意図される。
【産業上の利用可能性】
【０１２５】
この発明は、たとえば、有機ＥＬパネルを用いた発光装置に適用される。
【符号の説明】
【０１２６】
１０  発光装置、２０  封止部材、２１，２６  封止シート、２２  引き出し口、３１  面状発光部、３１ｓ  発光面、３１ｔ  裏面、３２  バリア層、３３  陽極、３４  有機層、３５  陰極、３６  封止層、３７  絶縁層、３８，３９  給電部、４１  透明基板、５１  配線部材、５２  基材、５２ａ  第１面、５２ｂ  第２面、５３  延出部、５４，５５  分岐部、５６，５７  対向部、６１  導電部、６２  第１導電部、６３，６３ｐ，６３ｑ  第２導電部、７１  内部配線部位、７２  外部配線部位、７３  境界配線部位、７６  接着層、８２，８３，８３ｐ，８３ｑ  カバー部、８６，８７，８８，８９  切り欠き部、１１０  封止領域、１２０  外部領域。
【図１】
2017149846.tif 000003
【図２】
2017149846.tif 000004
【図３】
2017149846.tif 000005
【図４】
2017149846.tif 000006
【図５】
2017149846.tif 000007
【図６】
2017149846.tif 000008
【図７】
2017149846.tif 000009
【図８】
2017149846.tif 000010
【図９】
2017149846.tif 000011
【図１０】
2017149846.tif 000012
【図１１】
2017149846.tif 000013
【図１２】
2017149846.tif 000014
【図１３】
2017149846.tif 000015
【図１４】
2017149846.tif 000016
【図１５】
2017149846.tif 000017
【図１６】
2017149846.tif 000018
【図１７】
2017149846.tif 000019
【国際調査報告】
2017149846.tif 000020
2017149846.tif 000021
2017149846.tif 000022
2017149846.tif 000023